(57)【要約】【課題】水槽の底部と一体感がある排水口蓋と、調理器具で開口部を塞がれ難い排水口蓋を備える水槽付き流し台を、排水口蓋を簡易な構造で提供する。【解決手段】  水槽の排水口蓋であって、開口部は平面視で横長偏平の略長円形状であって、上面から前記開口部へ掛けて滑らかな下向きの傾斜がつき、且つひとつの曲面で形成され、且つ前記開口部の端部は滑らかな小さなＲ状に形成されていることを特徴とする、水槽の排水口蓋。 【選択図】図１
2012062743.tif 000002
【特許請求の範囲】
【請求項１】
水槽の排水口蓋であって、平面視で開口部輪郭は滑らかな曲線をなし、更に上面から開口部へ掛けて滑らかな下向きの傾斜がつき、且つひとつの連続した曲面で形成されていることを特徴とする、水槽の排水口蓋。
【請求項２】
前記排水口蓋の周縁近傍は水槽底面と略面一であることを特徴とする請求項１に記載の水槽の排水口蓋。
【請求項３】
前記開口部は平面視で横長偏平の略長円形状であって、前記下向きの傾斜は漸次大きくなることを特徴とする請求項１乃至２に記載の排水口蓋。
【請求項４】
前記水槽は平面視で奥側に膨出する膨出部を備え、前記排水口蓋は該膨出部の手前側で、その後部が該膨出部近傍に配置され、該膨出部には収納容器が備わり、該収納容器の下端と前記水槽の底面との間に空間を有し、平面視において前記排水口蓋の後部が前記収納容器と重なることを特徴とする請求項１乃至３に記載の排水口蓋を備えた水槽付き流し台。
【請求項５】
少なくとも前記排水口蓋の上面と、前記水槽の材質が同じであることを特徴とする請求項４に記載の排水口蓋を備えた水槽付き流し台。
【請求項６】
少なくとも前記排水口蓋の上面と、前記水槽の材質がステンレス製であることを特徴とする請求項５に記載の排水口蓋を備えた水槽付き流し台。
【発明の詳細な説明】
【技術分野】
【０００１】
本発明は、流し台等の排水口蓋およびそれを備えた流し台に関する。
【背景技術】
【０００２】
流し台の排水口蓋は、従来から排水口蓋の開口部分から中が見え難いようにするためと、排水口蓋の開口部を調理器具で塞いでしまわないように、流しの底面に段部を設け、排水口蓋の開口部が該段部の立面に臨むようにした、略半円形の開口部を有する丸型の排水口蓋がよく使われている。これは材質を樹脂とすることが多いが、これは成型が容易であることにもよる。
【０００３】
しかし、これら排水口蓋は水槽の略中央に位置した場合、その大きさは直径約１８０ｍｍもあり、平面視で該排水口蓋の面積の約１／３から１／２が開口部であるため、排水口蓋自体がとても目立つという欠点があった。また排水口蓋の材質は樹脂とされることが多く、ステンレス製流しにあっては異材質の組合せとなり、これも目立つ大きな要因となっていた。
【０００４】
特許文献１には水槽の底面に段部を有し、この段部の略立面部に開口部が臨む丸型の排水口蓋を有する水槽が開示されている。
【先行技術文献】
【特許文献】
【０００５】
【特許文献１】特開２００９−７９０９号公報
【発明の概要】
【発明が解決しようとする課題】
【０００６】
本発明が解決しようとする課題は、水槽の底部と一体感がある排水口蓋と、調理器具で開口部を塞がれ難い排水口蓋を簡易な構造とすることが可能な、水槽付き流し台を提供する。
【課題を解決するための手段】
【０００７】
前記課題を解決するために、請求項１に記載の本発明は、水槽の排水口蓋であって、平面視で開口部輪郭は滑らかな曲線をなし、更に上面から開口部へ掛けて滑らかな下向きの傾斜がつき、且つひとつの連続した曲面で形成されていることを特徴とする、水槽の排水口蓋。
【０００８】
この発明によれば、１．排水口蓋上面から開口部にいたるまで稜線（山状および谷状を含む）があらわれないため、すっきりした意匠となる。２．平面視で、開口部周囲の領域から開口部へ向け下がっているため、調理器具と前記開口部は上下方向にも隙間が生じるため、通水路が確保でき、調理器具で排水口を塞ぎ難くなる。３．上面が滑らかな曲面のため、排水の流れも該曲面にそって滑らかに流れるという質感を演出できる。４．開口部を下方に滑らかな連続したひとつの曲面で構成し、その末端に開口部を設けるのみでよく構造を簡易にできる。５．平面視で開口部輪郭は滑らかな曲線であるため、鋭利な部分はなく、該開口部に手を挿入しても安全である。
【０００９】
請求項２に記載の本発明は、前記排水口蓋の周縁近傍は水槽底面と略面一であることを特徴とする請求項１に記載の水槽の排水口蓋。
【００１０】
この発明によれば、該排水口蓋の上に調理器具などをのせても、傾くことなく安定させて置ける。
【００１１】
請求項３に記載の本発明は、前記開口部は平面視で横長偏平の略長円形状であって、前記下向きの傾斜は漸次大きくなることを特徴とする請求項１乃至２に記載の排水口蓋。
【００１２】
この発明によれば、上面から開口部にかけて漸次傾斜が大きくなることで、曲面が更にふくよかで滑らかになり、排水の流れも該曲面にそって流れるという質感を更に演出できる。
【００１３】
請求項４に記載の本発明は、前記水槽は平面視で奥側に膨出する膨出部を備え、前記排水口蓋は該膨出部の手前側で、その後部が該膨出部近傍に配置され、該膨出部には収納容器が備わり、該収納容器の下端と前記水槽の底面との間に空間を有し、平面視において前記排水口蓋の後部が前記収納容器と重なることを特徴とする請求項１乃至３に記載の排水口蓋を備えた水槽付き流し台。
【００１４】
この発明によれば、前記開口部の上面に調理器具が置かれた場合、該調理器具が寸胴なべなど高さのある調理器具では、奥側への移動が前記収納容器に妨げられるため、該調理器具により完全に排水口蓋を塞いでしまうことがなくなる。また、該調理器具が中華なべなどでは、大径であっても高さがないため、前記収納容器の下端と前記水槽の底面との間の空間を利用すれば水槽内に収めることができ、更に前記中華なべなどの底面は球状をなしていることから、通水路は常に確保できるため、洗浄水などをよどみなく排出することができる。
【００１５】
請求項５に記載の本発明は、少なくとも前記排水口蓋の上面と、前記水槽の材質が同じであることを特徴とする請求項４に記載の排水口蓋を備えた水槽付き流し台。
【００１６】
この発明によれば、前記排水口蓋を前記水槽の排水口に装着した際に、該排水口蓋と該水槽の質感が統一できる。
【００１７】
請求項６に記載の本発明は、少なくとも前記排水口蓋の上面と、前記水槽の材質がステンレス製であることを特徴とする請求項５に記載の排水口蓋を備えた水槽付き流し台。
【００１８】
この発明によれば、前記排水口蓋を前記水槽の排水口に装着した際に該排水口蓋と該水槽の質感がステンレスで統一できる。
【発明の効果】
【００１９】
これらの発明によれば、水槽の底部と一体感がある排水口蓋と、調理器具で開口部を塞ぎ難い排水口蓋を備える水槽付き流し台を提供することができる
【図面の簡単な説明】
【００２０】
【図１】図１は実施例１における排水口蓋の側断面図である。
【図２】図２は実施例１における排水口蓋の平面図である。
【図３】図３は排水口蓋の開口部に流れる水の様子を示した説明図である。
【図４】図４は排水口蓋の構造を実施例と他の例で比較した説明図であり、（１）は実施例１の排水口蓋を示し、（２）は稜線のある排水口蓋を示し、（３）は開口部に向けて下向きの傾斜のない排水口蓋を示す。
【図５】図５は排水口蓋の上に調理器具を配置した側面視した場合の実施例と他の例で比較した説明図であり、（１）は実施例１の排水口蓋を示し、（２）は稜線のある排水口蓋を示し、（３）は開口部に向けて下向きの傾斜のない排水口蓋を示す。
【図６】図６は実施例におけるステンレス製水槽に排水口蓋を備えた使用状態を示した図である。
【図７】図７は実施例における収納容器の斜視図である。
【図８】実施例における作業者が水槽の排水口を俯瞰する、立面における視点を表した図である。
【図９】実施例１における寸胴なべを置いた場合の側断面図である。
【図１０】実施例１における中華なべを置いた場合の側断面図である。
【図１１】実施例２における排水口蓋の平面図である。
【図１２】実施例２における排水口蓋の側断面図である。
【発明を実施するための形態】
【００２１】
排水口蓋が水槽の中央に位置していても目立つことない排水口蓋と、調理器具で開口部を塞ぎ難い排水口蓋を備える水槽付き流し台を提供する目的を、簡易な構造の排水口蓋で実現した。
【実施例１】
【００２２】
図１は、本発明の実施例１における排水口蓋の側断面図であって、図の左側を手前方向とする。図２は排水口蓋の平面図であって、図の左側を手前方向とする。符号１は排水口蓋を、符号２は周縁部を、符号４は該周縁部の更に外側の外縁部を、符号３は開口部を、符号５は角部をあらわす。図６は本発明の使用状態をあらわし、図の上を奥方向、図の下を手前方向とする。
【００２３】
図８は、側面視で調理作業者が立位で排水口蓋１の開口部３を俯瞰する姿勢を表している。調理作業者の身長は１６５ｃｍ程度あり、流し台のすぐ前方に立っている。流し台の天板までの床からの高さは８５ｃｍ程度あり、流し台は水槽の深さが約２０ｃｍ程度である本発明の水槽付き流し台である。
【００２４】
図１において、開口部３にかけて連続した傾斜がついている。また開口部３は手前側から奥側にかけて下がっている。図８の姿勢から排水口蓋１を見下ろした場合、実際の開口部３の大きさより見かけの大きさは小さいため、開口部３の大きさを目立たなくしながら、十分な排水ができる。従って、排水口蓋１の下方に位置するゴミ収納器(図示せず)にたまった厨芥を、開口部３から見え難くできる。
【００２５】
図２において排水口蓋１は角部５を丸くした、略四角形状をなしている。開口部３は横長長円形状で排水口蓋の中心より後退している。図１において略水平な周縁部２から開口部３にかけて、開口部へ近づくしたがって勾配が急になり、またなめらかな曲面で構成されている。この曲面は周縁部２から開口部３にかけて連続したひとつの曲面で構成されている。
【００２６】
図３は排水口蓋１の開口部３に流れる水の様子を示したもので、水は開口部３にかけて連続したひとつの曲面に沿うように、なめらかに流れていることがわかる。連続したひとつの曲面であっても、曲面と曲面をつなぐ曲面の曲率が小さいとなめらかには流れない。
【００２７】
図４は本実施例と他の形状例の比較であり、（２）において例Ａ２１は、排水口蓋２１の上面は図示しない水槽底面と略面一で、更に排水口２１３の周囲から排水口２１３に掛けて傾斜した面をなしているが、連続した面ではなく、複数の面により構成されている。（３）において例Ｂ２２の上面は、図示しない水槽底面と略面一で、前記上面に単純に開口部２２３を設けただけの場合である。（２）は開口部２１３へ水の流れを導く傾斜がついているが、傾斜と水平部の稜線２１１が目だってしまう。一方（３）は単純な構造ではあるが、開口部２２３が水槽底面と同一面にあり、排水口蓋１のように開口部がすぼまって水槽底面より下方に位置する場合に比べて、開口部２２３が大きく見えてきてしまい、従って排水口蓋の下方にあるごみ収納容器（図示せず）の中などが見えやすくなってしまう。
【００２８】
図５は図４において、（１）乃至（３）の場合の排水口蓋上に調理器具を載置したときの側断面視図で、排水口蓋２１、１、及び２２の周縁部（排水口１であれば周縁部２に当る部位。排水口２１及び２２においても同じ部位）近傍は、水槽３１の略平面な底面と略面一である。（３）に関しては、調理器具で開口部２２３を塞いでしまい水の流れる経路を確保できないが、（２）は開口部２１３に掛けて漏斗状の傾斜をなしており、更に該排水口蓋上面の開口面積は、開口部２１３より大きく、更にまた傾斜面の奥側は調理器具より外側に形成されているため調理器具で開口部２１３の上部を完全には塞がず、水の流れる経路を確保できる。（１）における本発明の排水口蓋１も（２）同様に水の流れる経路を確保できる。
【００２９】
このように排水口蓋１は周縁部２から開口部３にかけて一つの曲面で構成され、構造が簡易になり、排水口蓋１を生産するときは、ステンレスなどの鋼板であれば、単一の材料から開口部をあけたのち、絞り成型をおこなうなどの簡単な工程で生産可能である。
【００３０】
図６はステンレス製水槽に排水口蓋１を備えた使用状態を示している。水槽３１は奥側へ膨出部３２を備え、平面視で膨出部３２に一部望む排水口（図示せず）を備える。排水口上部には排水口蓋１を備える。排水口蓋１は角部が丸められた、略四角形状をなし、また横方向の大きさと奥行き方向の大きさは等しくしている。該排水口蓋１の上面には、上面視横長な開口部３を該排水口蓋１の中心から奥側よりに配置してなる。
【００３１】
前記膨出部３２内の上方には、スポンジや洗剤を収納する収納容器４０が備わる。該収納容器４０は、上面視で横長の長円を略への字状に屈曲した形状をなしている。図７は収納容器４０の上方からの斜視図であり、ステンレス製の線材で構成されている。該収納容器４０は上面視で左右は手前側に全体が張り出し、中央は全体が後退した形状をなす。
【００３２】
図６は水槽３１の中央に中華なべ５０を配置した場合を示している。中華なべ５０を洗浄する場合を想定して配置したものである。中華なべ５０の直径は、水槽３１の奥行き寸法（膨出部含まず）の略２／３程度あり、直径３６ｃｍ相当の大型の調理器具を想定している。
【００３３】
中華なべ５０は上面視で排水口蓋１に一部臨んでいるが、開口部３は排水口蓋の中心より後退しているため、中華なべ５０で開口部３を塞ぐことがなく、水の流れる経路を確保できる。また、上面視で前記収納容器４０の中央が後退しているため、中華なべ５０と干渉することがなく、洗浄作業を容易におこなえる。更に図１０において、中華なべ５０が更に大きな径であっても収納容器４０の底部と水槽底面との間に空間が確保されていることから、水槽内に大きな径であっても、中華なべ５０を収容することができる、また中華なべ５０の底面は球状であることから、略平面状の水槽３１の底面と該中華なべ５０の底面との間には空間が存し、水の流れる経路は常に確保される。
【００３４】
図９は水槽３１に寸胴なべ５１を排水口蓋１の上部へ配置したときの側断面図である。該寸胴なべ５１は、底部から上部にかけて略等しい径をなし、底面は平面であって、該底面と側面とは小さなＲ形状をなす曲面でつながる。該寸胴なべ５１は高さが高いため収納容器４０に当接し、それ以上奥側へ移動させることはできない。従って該寸胴なべ５１の底面は平面であっても、該寸胴なべ５１の底面で排水口蓋１の開口部３を完全に塞ぐことがなく、水の流れる経路を確保できる。
【００３５】
以上説明したように、本実施例には限られず、排水口蓋１の少なくとも上面、および水槽３１は、材質を合わせれば人造大理石などの耐熱性樹脂でもよい。
【実施例２】
【００３６】
開口部３の形状は、実施例１に限らず、円形や角部を滑らかに丸めた矩形などでもよい。図１１および図１２は排水口蓋１の開口部３が上面視で円形の場合を示す。図１２は、本発明の実施例２における排水口蓋の側断面図であって、図の左側を手前方向とする。図１１は排水口蓋の平面図であって、図の左側を手前方向とする。符号１は排水口蓋を、符号２は周縁部を、符号３は開口部を、符号５は角部をあらわす。
【００３７】
図１１において排水口蓋１は角部５を丸くした、略四角形状をなしている。開口部３は円形状で排水口蓋の中心より後退している。図１２において略水平な周縁部２から開口部３にかけて、開口部へ近づくしたがって勾配が急になり、またなめらかな曲面で構成されている。この曲面は周縁部２から開口部３にかけて連続したひとつの曲面で構成されている。
【産業上の利用可能性】
【００３８】
本発明の水槽の排水口蓋は、水槽底面に排水口を有する、物品を洗浄するための水槽など、流し台の水槽や洗面化粧台の水槽に適用できる。
【符号の説明】
【００３９】
１       排水口蓋
２    周縁部
３    開口部
４    外縁部
５    角部
２１    例Ａ
２１１  稜線
２１３  開口部
２２    例Ｂ
２２３    開口部
３１    水槽
３２    膨出部
４０    収納容器
５０    中華なべ
５１  寸胴なべ
６１  作業者
６２  天板
６３  流し
６４  水切りプレート
【図１】
2012062743.tif 000003
【図２】
2012062743.tif 000004
【図８】
2012062743.tif 000005
【図９】
2012062743.tif 000006
【図１０】
2012062743.tif 000007
【図１１】
2012062743.tif 000008
【図１２】
2012062743.tif 000009
【図３】
2012062743.tif 000010
【図４】
2012062743.tif 000011
【図５】
2012062743.tif 000012
【図６】
2012062743.tif 000013
【図７】
2012062743.tif 000014